(57)【要約】【課題】容易に搬送可能としつつ、複数台の空調機を保管したり設置したりする際の占有スペースを省スペース化し得る空調機用搬送具を提供する。【解決手段】除湿機本体２を載置可能に構成された載置部２０、載置部２０に取り付けられた支持部材２３、および載置部２０の一端部に配設された車輪２１を備え、支持部材２３は、設置面に対して平行で載置部２０の上方に位置する仮想平面において高さ方向で載置部２０と重なる領域内に、同一直線上には位置しない少なくとも３点の支持点が位置するように構成されている。【選択図】図５
2016109306.tif 000002
【特許請求の範囲】
【請求項１】
空調機本体を載置可能に構成された載置部、前記載置部に取り付けられた支持部材、および前記載置部の一端部に配設された車輪を備え、
前記支持部材は、設置面に対して平行で前記載置部の上方に位置する仮想平面において高さ方向で当該載置部と重なる領域内に、同一直線上には位置しない少なくとも３点の支持点が位置するように構成されている空調機用搬送具。
【請求項２】
前記車輪と共に前記設置面に接地させられた状態において前記載置部における前記空調機本体の載置面が当該設置面に対して平行となるように当該車輪と共に当該載置部を支持する脚部が当該載置部の他端部に配設されている請求項１記載の空調機用搬送具。
【請求項３】
前記載置部は、底面開口の浅皿状に形成されている請求項１または２記載の空調機用搬送具。
【請求項４】
前記支持部材は、前記載置部に立設された一対の第１柱状部における上端部が当該載置部における前記一端部の上方において第１連結部によって相互に連結された第１部材、および当該載置部に立設された一対の第２柱状部における上端部が当該載置部における前記他端部の上方において第２連結部によって相互に連結された第２部材を備えている請求項１から３のいずれかに記載の空調機用搬送具。
【請求項５】
前記載置部に載置された前記空調機本体を周方向で囲むように前記支持部材に取り付けられて当該空調機本体を保持する保持部材を備えている請求項１から４のいずれかに記載の空調機用搬送具。
【請求項６】
前記保持部材において前記空調機本体の周面に形成された通気孔と対向する位置に開口部が設けられている請求項５記載の空調機用搬送具。
【請求項７】
請求項１から６のいずれかに記載の空調機用搬送具と、前記載置部に載置された前記空調機本体とを備えている可搬型空調機。
【発明の詳細な説明】
【技術分野】
【０００１】
本発明は、空調機本体を搬送可能な空調機用搬送具、およびそのような空調機用搬送具と空調機本体とを備えて構成された可搬型空調機に関するものである。
【背景技術】
【０００２】
出願人は、除湿用の冷凍サイクル、送風用のファンユニットおよびドレンタンクなどの各種構成部品を直方体状の外装キャビネット内に収容して一体化した除湿装置を下記の特許文献に開示している。
【０００３】
この場合、出願人が開示している除湿装置では、上記の外装キャビネットが、平面視コ字状の本体パネル部（リアパネル部、右サイドパネル部および左サイドパネル部）と、本体パネル部の底部を覆うベースパネル部と、本体パネル部の天部を覆うカバーパネル部と、本体パネル部の前部上半部を覆う上フロントパネル部と、本体パネル部の前部下半部を覆う下フロントパネル部とを備えて構成されている。また、本体パネル部（リアパネル部、右サイドパネル部および左サイドパネル部）およびカバーパネル部には、放出口（通気孔）が形成され、上フロントパネル部には、吸込口（通気孔）が形成されている。
【０００４】
これにより、出願人が開示している除湿装置では、上フロントパネル部に形成された吸込口から導入した空気（外気）を外装キャビネット内の冷凍サイクルにおける冷却器（蒸発器）によって冷却することにより、導入した空気に含まれている水分を冷却器に結露させて除湿し、結露水については、外装キャビネット内のドレンタンク内に貯留すると共に、除湿を完了した空気については、本体パネル部やカバーパネル部に形成された放出口から放出することが可能となっている。
【先行技術文献】
【特許文献】
【０００５】
【特許文献１】特許３６２３９０９号公報（第２−５頁、第１−５図）
【発明の概要】
【発明が解決しようとする課題】
【０００６】
ところが、出願人が上記の特許文献に開示している除湿装置には、以下の改善すべき課題が存在する。すなわち、出願人が開示している除湿装置では、複数のパネルで構成された直方体状の外装キャビネット内に各種の構成部品が収容されている。
【０００７】
この場合、出願人が開示している除湿装置などの可搬型の空調機（常設型ではない空調機）は、例えば、空調を必要としないときには、設置場所から倉庫や物置などの保管場所に搬送して保管し、空調を必要とするときには、保管場所から任意の設置場所に搬送して動作させるといった利用形態で使用されることが多い。また、可搬型の空調機の使用に際しては、利用者の位置や、他の設備の位置に応じて、その設置場所を逐次変更して動作させることもある。このような利用形態に鑑みて、出願人が開示している除湿装置では、外装キャビネットにおけるベースパネル部の底面に複数の自在キャスタを取り付けることにより、除湿装置を持ち上げて搬送したり、台車等の搬送具を用意して搬送したりすることなく、キャスタ（車輪）を回転させるようにして外装キャビネットを押して除湿装置を容易に搬送する（移動させる）ことが可能となっている。
【０００８】
一方、前述したように、出願人が開示している除湿装置では、外装キャビネットの天部を構成するカバーパネル部にメッシュ状の放出口（通気孔）が形成されている。このため、除湿装置（外装キャビネット）の上に重い物品を乗せたときに、カバーパネル部における放出口の部位（メッシュ状の部位）が変形するおそれがある。したがって、例えば、複数台の除湿装置を所有している者が、非使用時に各除湿装置を保管場所において保管する際には、各除湿装置を保管場所に並べて載置する必要がある。また、この種の空調機による空調に際しては、必要とされる空調能力に応じて複数台の空調機を同時に動作させることがある。しかしながら、出願人が開示している除湿装置では、複数台の除湿装置を動作させようとしたときに各除湿装置を設置場所に並べて設置する必要がある。
【０００９】
このように、出願人が開示している除湿装置では、積み重ねによる破損を回避するために、複数台を保管するための広い保管場所が必要となり、また、複数台を同時に動作させる際に広い設置空間が必要となっている。このため、この点を改善するのが好ましい。
【００１０】
本発明は、かかる改善すべき課題に鑑みてなされたものであり、容易に搬送可能としつつ、複数台の空調機を保管したり設置したりする際の占有スペースを省スペース化し得る空調機用搬送具および可搬型空調機を提供することを主目的とする。
【課題を解決するための手段】
【００１１】
上記目的を達成すべく、請求項１記載の空調機用搬送具は、空調機本体を載置可能に構成された載置部、前記載置部に取り付けられた支持部材、および前記載置部の一端部に配設された車輪を備え、前記支持部材は、設置面に対して平行で前記載置部の上方に位置する仮想平面において高さ方向で当該載置部と重なる領域内に、同一直線上には位置しない少なくとも３点の支持点が位置するように構成されている。なお、「少なくとも３点の支持点」については、３箇所以上の別個独立した「点的な支持点」で構成されるものだけでなく、複数の支持点が直線的に連続している「直線的な支持点」に少なくとも３点の支持点のうちの２点が含まれる構成、複数の支持点が曲線的に連続している「曲線的な支持点」に少なくとも３点の支持点のうちの少なくとも２点が含まれる構成、および複数の支持点が面上に連続している「面的な支持点」に少なくとも３点の支持点のうちの少なくとも２点が含まれる構成を採用することができる。
【００１２】
請求項２記載の空調機用搬送具は、請求項１記載の空調機用搬送具において、前記車輪と共に前記設置面に接地させられた状態において前記載置部における前記空調機本体の載置面が当該設置面に対して平行となるように当該車輪と共に当該載置部を支持する脚部が当該載置部の他端部に配設されている。
【００１３】
請求項３記載の空調機用搬送具は、請求項１または２記載の空調機用搬送具において、前記載置部は、底面開口の浅皿状に形成されている。
【００１４】
請求項４記載の空調機用搬送具は、請求項１から３のいずれかに記載の空調機用搬送具において、前記支持部材は、前記載置部に立設された一対の第１柱状部における上端部が当該載置部における前記一端部の上方において第１連結部によって相互に連結された第１部材、および当該載置部に立設された一対の第２柱状部における上端部が当該載置部における前記他端部の上方において第２連結部によって相互に連結された第２部材を備えている。
【００１５】
請求項５記載の空調機用搬送具は、請求項１から４のいずれかに記載の空調機用搬送具において、前記載置部に載置された前記空調機本体を周方向で囲むように前記支持部材に取り付けられて当該空調機本体を保持する保持部材を備えている。
【００１６】
請求項６記載の空調機用搬送具は、請求項５記載の空調機用搬送具において、前記保持部材において前記空調機本体の周面に形成された通気孔と対向する位置に開口部が設けられている。
【００１７】
請求項７記載の可搬型空調機は、請求項１から６のいずれかに記載の空調機用搬送具と、前記載置部に載置された前記空調機本体とを備えている。
【発明の効果】
【００１８】
請求項１記載の空調機用搬送具では、空調機本体を載置可能に構成された載置部に取り付けられた支持部材が、設置面に対して平行で載置部の上方に位置する仮想平面において高さ方向で載置部と重なる領域内に、同一直線上には位置しない少なくとも３点の支持点が位置するように構成されている。また、請求項７記載の可搬型空調機では、上記の空調機用搬送具と、載置部に載置された空調機本体とを備えている。
【００１９】
したがって、請求項１記載の空調機用搬送具、および請求項７記載の可搬型空調機によれば、例えば、２台の可搬型空調機を設置場所において動作させるときや、２台の可搬型空調機を保管場所において保管するときに、一方の可搬型空調機（空調機用搬送具）における支持部材の各支持点の上に、他方の可搬型空調機（空調機用搬送具）における載置部を載置するようにして両可搬型空調機（空調機用搬送具）を積み重ねた状態とすることができるため、上方の可搬型空調機の重量によって下方の可搬型空調機における空調機本体が破損する事態を招くことなく、設置場所や保管場所において２台の可搬型空調機によって占有されるスペースを十分に省スペース化することができる。また、例えば保管場所において保管すべき可搬型空調機が１台だけの場合においても、その可搬型空調機における支持部材の各支持点の上に、他の物品を載置して各支持点によって物品を支持することができるため、物品の下方に位置する可搬型空調機の空調機本体が物品の重量によって破損する事態を招くことなく、保管場所の貴重なスペースを有効活用することができる。
【００２０】
請求項２記載の空調機用搬送具、およびその空調機用搬送具を備えた可搬型空調機によれば、載置部における空調機本体の載置面が設置面に対して平行となるように車輪と共に載置部を支持する脚部を載置部の他端部に配設したことにより、載置部における載置面に載置した空調機本体と設置面との間にスペースを生じさせることができるため、設置面が水分や油分などで汚れていたとしても、その汚れが空調機本体に付着する事態を招くことなく可搬型空調機を設置することができる。
【００２１】
請求項３記載の空調機用搬送具、およびその空調機用搬送具を備えた可搬型空調機によれば、載置部を底面開口の浅皿状に形成したことにより、例えば、載置部を平板状に形成した構成と比較して、載置部の強度を十分に高めることができ、これにより、載置面の上に空調機本体を安定状態で載置することができると共に、複数台の可搬型空調機を積み重ねたときに、下方の可搬型空調機（空調機用搬送具）における支持部材の各支持点が上方の可搬型空調機（空調機用搬送具）における載置部の内側面に当接した状態となって、下方の可搬型空調機（空調機用搬送具）に対する上方の可搬型空調機（空調機用搬送具）の移動が規制されるため、上方の可搬型空調機（空調機用搬送具）が転落するのを好適に回避することができる。
【００２２】
請求項４記載の空調機用搬送具、およびその空調機用搬送具を備えた可搬型空調機によれば、載置部に立設した一対の第１柱状部における上端部を載置部における一端部の上方において第１連結部によって相互に連結した第１部材、および載置部に立設した一対の第２柱状部における上端部を載置部における他端部の上方において第２連結部によって相互に連結した第２部材を備えて支持部材を構成したことにより、可搬型空調機を搬送するための取っ手を支持部材とは別個に設けることなく、支持部材の両連結部を取っ手として兼用することができるため、可搬型空調機（空調機用搬送具）をコンパクトに構成することができると共に、その製造コストを十分に低減することができる。
【００２３】
請求項５記載の空調機用搬送具、およびその空調機用搬送具を備えた可搬型空調機によれば、載置部に載置された空調機本体を周方向で囲むように支持部材に取り付けられて空調機本体を保持する保持部材を備えたことにより、載置部（載置面）からの空調機本体の転落を好適に回避することができ、また、載置部（載置面）上に載置した空調機本体に物や人が当接した際にも、保持部材によって空調機本体を好適に保護することができる。
【００２４】
請求項６記載の空調機用搬送具、およびその空調機用搬送具を備えた可搬型空調機によれば、保持部材において空調機本体の周面に形成された通気孔と対向する位置に開口部を設けたことにより、保持部材の存在によって通気孔からの通気を阻害することなく、空調機本体の転落や破損を好適に回避することができる。
【図面の簡単な説明】
【００２５】
【図１】本発明の実施の形態に係る可搬型除湿機１の外観斜視図である。
【図２】本発明の実施の形態に係る可搬型除湿機１の左側面図である。
【図３】本発明の実施の形態に係る可搬型除湿機１における搬送具３の断面図である。
【図４】本発明の実施の形態に係る可搬型除湿機１の正面図である。
【図５】本発明の実施の形態に係る可搬型除湿機１を積み重ねた状態の外観斜視図である。
【図６】本発明の実施の形態に係る可搬型除湿機１を積み重ねた状態の部分断面図である。
【図７】本発明の他の実施の形態に係る可搬型除湿機１Ａの外観斜視図である。
【図８】本発明のさらに他の実施の形態に係る可搬型除湿機１Ｂの左側面図である。
【発明を実施するための形態】
【００２６】
以下、添付図面を参照して、本発明に係る空調機用搬送具および可搬型空調機の実施の形態について説明する。
【００２７】
図１，２に示す可搬型除湿機１は、「可搬型空調機」の一例であって、除湿機本体２および搬送具３を備えて構成されている。
【００２８】
除湿機本体２は、「空調機本体」の一例であって、出願人が開示している除湿装置と同様にして、除湿対象の空気を冷却することで水分を結露水として除去するための冷凍サイクル、送風用のファンユニットおよびドレンタンクなどの各種構成部品（図示せず）がケーシング（外装キャビネット）１０内に収容されている。
【００２９】
この場合、この除湿機本体２は、図１に示すように、一例として、ケーシング１０の正面パネルにおける上方部位に前面側通気孔１１（吸気孔：「周面に形成された通気孔」の一例）が形成されると共に、ケーシング１０の上面パネルにおける背面側部位に上面側通気孔１２（排気孔）が形成されている。また、ケーシング１０における上面パネルおよび正面パネルの角部には、操作パネル１３が配設され、正面パネルの下方部位は、ケーシング１０内に収容されたドレンタンクを出し入れするための蓋体１４として機能するように構成されている。なお、ケーシング１０内の構成部品や、それらの動作については、出願人が開示している除湿装置等と同様のため、図示および詳細な説明を省略する。
【００３０】
搬送具３は、「空調機用搬送具」の一例であって、後述するように、除湿機本体２を搬送するための搬送具（台車）としての機能、および除湿機本体２を任意の設置場所に設置するための設置具としての機能を備えて構成されている。この搬送具３は、図１〜４に示すように、載置部２０、車輪２１、脚部２２、支持部材２３および保持部材２４を備えている。
【００３１】
載置部２０は、一例として、金属製の平板を折曲げ加工することにより、図３に示すように、底面開口の浅皿状に形成されると共に、図１〜４に示すように、その上面（載置面Ｆ１）が平坦に形成されて除湿機本体２を載置することができるように構成されている。車輪２１は、載置部２０の一端部（本例では、背面側の端部）に配設されており、搬送具３を設置具として機能させる際には、脚部２２と相俟って載置部２０を支持する後脚として機能する。脚部２２は、載置部２０の他端部（本例では、正面側の端部）に配設されており、上記したように、搬送具３を設置具として機能させる際に車輪２１と相俟って載置部２０を支持する。
【００３２】
支持部材２３は、載置部２０に取り付けられており、後述するように、可搬型除湿機１を搬送する際の取っ手として機能すると共に、図５に示すように、本例の可搬型除湿機１の上方に、本例の可搬型除湿機１と同様に構成された他の可搬型除湿機１を積み重ねる際に、上方の可搬型除湿機１を支持する支持具として機能する。この支持部材２３は、図１〜４に示すように、部材３０ａ，３０ｂを備えて構成されている。
【００３３】
部材３０ａは、「第１部材」の一例であって、載置部２０の左端部および右端部に基部３１ａを介して立設された一対の柱状部３１，３１（「第１柱状部」の一例）と、載置部２０の一端部（背面側の端部）の上方において両柱状部３１，３１の上端部を相互に連結する連結部３２（「第１連結部」の一例）とが金属製の丸棒を折り曲げ加工することで一体的に形成されている。また、部材３０ｂは、「第２部材」の一例であって、載置部２０の左端部および右端部に基部３１ａを介して立設された一対の柱状部３１，３１（「第２柱状部」の一例）と、載置部２０の他端部（正面側の端部）の上方において両柱状部３１，３１の上端部を相互に連結する連結部３２（「第２連結部」の一例）とが金属製の丸棒を折り曲げ加工することで一体的に形成されている。これにより、本例の搬送具３では、載置部２０の上に載置した除湿機本体２に対して接触させることなく、載置部２０の背面側の端部（一端部）および正面側の端部（他端部）の上方に平行に配置されている２本の連結部３２，３２の上に物品を載置することが可能となっている。
【００３４】
具体的には、本例の搬送具３では、部材３０ａにおける連結部３２の上端部、および部材３０ｂにおける連結部３２の上端部が、「少なくとも３点の支持点」に相当し、図５に示すように、例えば、この搬送具３（可搬型除湿機１）の上方に他の搬送具３（可搬型除湿機１）を積み重ねる際に、上方の搬送具３（可搬型除湿機１）を支持する支持点として機能する。なお、図１〜３に示すように、部材３０ａ，３０ｂが金属製の丸棒で形成されている本例では、両連結部３２の上端部が搬送具３の左右方向で連続する線的な領域となっている。これにより、本例の搬送具３では、図２〜４に示すように、可搬型除湿機１（搬送具３）が設置される設置面Ｆ０に対して平行で載置部２０の上方に位置する仮想平面Ｆｘ（「仮想平面」の一例）において高さ方向で載置部２０と重なる矩形状の領域Ａ２０内に２本の平行な線的な支持点が位置するように支持部材２３が構成されている。
【００３５】
また、本例の搬送具３（可搬型除湿機１）では、「少なくとも３点の支持点（本例では、部材３０ａの連結部３２における上端部の線的な支持点、および部材３０ｂの連結部３２における上端部の線的な支持点）」のうちの「少なくとも１点（この例では、上記の両「線的な支持点」のいずれか一方における任意の１点）」が、「少なくとも３点の支持点のうちの他の２点（この例では、上記の両「線的な支持点」の他方における任意の２点）」を通過する直線上には位置しないように構成されている。これにより、本例の搬送具３（可搬型除湿機１）では、「少なくとも３点の支持点」が同一直線上には位置しない構成となっており、上記したように、部材３０ａ，３０ｂの両連結部３２，３２の上に載置部２０と同程度の大きさの各種の物品（一例として、他の可搬型除湿機１における搬送具３の載置部２０）を載置して両連結部３２，３２によってこれを支持することが可能となっている。
【００３６】
この場合、物品を支持する支持点が２点の構成では、両支持点の上に載置した物品が、両支持点を結ぶ直線を中心として揺動するため、物品を安定して支持するのが困難となる。また、３点以上の支持点が存在する構成であっても、それらの支持点が同一直線上に位置している構成では、支持点が２点の構成と同様にして、物品を安定して支持するのが困難となる。これに対して、本例の搬送具３（可搬型除湿機１）のように、同一直線上には位置しない３点以上の複数の支持点を有する構成を採用することにより、各支持点の上に載置した物品の揺動を回避することができるため、後述するように、各種の物品を安定して支持することが可能となる。
【００３７】
なお、本例の搬送具３（可搬型除湿機１）では、上記の部材３０ａ，３０ｂが、互いに同じ大きさで同じ形状となるように構成されており、部材３０ａを部材３０ｂとして（部材３０ｂを部材３０ａとして）兼用することが可能となっている。具体的には、連結部３２が載置部２０の一端部の上方（車輪２１の取り付け部位の上方）に位置するように基部３１ａを載置部２０に固定することで部材３０ａ（第１部材）として機能し、連結部３２が載置部２０の他端部の上方（脚部２２の取り付け部位の上方）に位置するように基部３１ａを載置部２０に固定することで部材３０ｂ（第２部材）として機能するように構成されている。これにより、「第１部材」および「第２部材」を別個の大きさ、別個の形状に形成した構成と比較して、搬送具３（可搬型除湿機１）の製造コストを低減することが可能となっている。
【００３８】
また、本例の搬送具３（可搬型除湿機１）では、部材３０ａの連結部３２が載置部２０の一端部の直上に位置すると共に、部材３０ｂの連結部３２が載置部２０の他端部の直上に位置するように両部材３０ａ，３０ｂが形成されている。これにより、本例の搬送具３（可搬型除湿機１）では、両部材３０ａ，３０ｂを載置部２０に取り付けた状態において、部材３０ａの連結部３２における背面側の端部と、部材３０ｂの連結部３２における正面側の端部との間の距離が、載置部２０の前後方向の長さと同程度となっている。
【００３９】
保持部材２４は、後述するように、載置部２０における設置面Ｆ０の上に載置した除湿機本体２が載置部２０（搬送具３）から転落するのを阻止するために除湿機本体２を保持しつつ、除湿機本体２の前面側通気孔１１などを保護するための部材であって、図１〜４に示すように、載置部２０（載置面Ｆ１）に載置された除湿機本体２を周方向で囲むように支持部材２３の各柱状部３１に取り付けられている。この保持部材２４には、除湿機本体２に形成された前面側通気孔１１と対向する位置に開口部２４ａが設けられており、これにより、保持部材２４によって前面側通気孔１１からの通気が阻害される事態が回避されている。
【００４０】
この可搬型除湿機１の使用に際しては、まず、保管場所等から設置場所まで可搬型除湿機１を搬送する。この際には、一例として、部材３０ａの連結部３２を握持して、図２，３に矢印Ｔ１で示すように、車輪２１の車軸を回動中心として可搬型除湿機１（搬送具３）を傾ける。これにより、脚部２２が浮いた状態となって車輪２１を回転させて可搬型除湿機１を移動させることができる状態となる。この場合、本例の可搬型除湿機１（搬送具３）では、前述したように、載置部２０上に載置した除湿機本体２が保持部材２４によって保持されているため、上記のように可搬型除湿機１を傾けた際に載置部２０から除湿機本体２が転落する事態が回避される。
【００４１】
一方、設置場所まで可搬型除湿機１を搬送した際には、可搬型除湿機１による除湿処理を行う位置に可搬型除湿機１を設置する。この際には、図２，３に矢印Ｔ２で示すように、車輪２１の車軸を回動中心として可搬型除湿機１（搬送具３）を正立させる。これにより、脚部２２が車輪２１と共に設置面Ｆ０に接地した状態となり、車輪２１および脚部２２によって載置部２０の載置面Ｆ１が設置面Ｆ０に対して平行となるように、載置部２０や載置部２０上の除湿機本体２が支持された状態となる。また、例えば、可搬型除湿機１を壁際に寄せて設置する際には、一例として、部材３０ｂの連結部３２を握持して、可搬型除湿機１の位置を微調整する。次いで、除湿機本体２から引き出されている図示しない電源ケーブルを電源に接続することにより、可搬型除湿機１の設置が完了する。
【００４２】
この可搬型除湿機１（搬送具３）では、図２〜４に示すように、車輪２１および脚部２２によって支持された載置部２０の載置面Ｆ１が設置面Ｆ０から離間した状態（載置部２０と設置面Ｆ０との間にスペースが生じた状態）となっている。したがって、例えば、設置面Ｆ０に水分や油分等の汚れが付着している状態であっても、それらが載置部２０上（載置面Ｆ１上）の除湿機本体２に接して除湿機本体２に汚れが生じたり、除湿機本体２内に水分や油分が侵入したりする事態が回避される。この後、除湿機本体２の操作パネル１３を操作して除湿機本体２を動作させることにより、除湿機本体２の周囲の空気が前面側通気孔１１から取り込まれて除湿機本体２内において除湿され、上面側通気孔１２から吐出される。
【００４３】
この場合、本例の可搬型除湿機１（搬送具３）では、前述したように、載置部２０上（載置面Ｆ１上）の除湿機本体２が保持部材２４によって保持されると共に、保持部材２４において除湿機本体２の前面側通気孔１１と対向する部位には開口部２４ａが形成されている。したがって、保持部材２４によって前面側通気孔１１からの通気が阻害されることなく、除湿機本体２の動作時に冷凍サイクルの圧縮機から発せられる振動等に起因して除湿機本体２が搬送具３（載置部２０）に対して移動して載置部２０から転落する事態が回避されている。これにより、除湿機本体２を搬送具３に載置したまま、設置場所の空気を好適に除湿することが可能となっている。
【００４４】
また、一例として、設置場所の湿度が高く、１台の可搬型除湿機１では除湿能力が不足する場合には、複数台の可搬型除湿機１を同時に動作させる。この際に、本例の可搬型除湿機１（搬送具３）では、図５に示すように、例えば２台の可搬型除湿機１，１を積み重ねた状態でそれぞれ動作させることが可能となっている。
【００４５】
この場合、本例の可搬型除湿機１（搬送具３）では、前述したように、載置部２０の上方に位置する仮想平面Ｆｘにおいて高さ方向で載置部２０と重なる矩形状の領域Ａ２０内に、２本の平行な線的な支持点を構成する両連結部３２が位置するように支持部材２３が構成されている。したがって、図６に示すように、可搬型除湿機１の上に他の可搬型除湿機１を積み重ねる際には、下方の可搬型除湿機１（搬送具３）における支持部材２３の両連結部３２の上端部（線的な支持点として機能する部位）が、上方の可搬型除湿機１（搬送具３）における載置部２０の載置面Ｆ１とは逆側の面に接して、下方の可搬型除湿機１（搬送具３）における支持部材２３によって上方の可搬型除湿機１（搬送具３）における載置部２０が支持された状態となる。
【００４６】
これにより、下方の可搬型除湿機１における搬送具３に載置された除湿機本体２に対して上方の可搬型除湿機１（上方の可搬型除湿機１における除湿機本体２および搬送具３）の重量が加わることなく、両可搬型除湿機１，１を積み重ねた状態とすることができる。この結果、下方の可搬型除湿機１における除湿機本体２が破損する事態が回避される。また、２台の可搬型除湿機１，１を積み重ねた状態では、下方の可搬型除湿機１における除湿機本体２の上面と、上方の可搬型除湿機１における搬送具３（載置部２０）との間にスペースが生じた状態となる。したがって、上方に積み重ねた可搬型除湿機１によって下方の可搬型除湿機１における除湿機本体２の操作パネル１３の操作が阻害される事態も回避されている。
【００４７】
さらに、本例の可搬型除湿機１（搬送具３）では、前述したように、載置部２０が底面開口の浅皿状に形成されると共に、部材３０ａの連結部３２における背面側の端部と、部材３０ｂの連結部３２における正面側の端部との間の距離が、載置部２０の前後方向の長さと同程度となっている。これにより、２台の可搬型除湿機１，１を積み重ねた状態では、図６に示すように、下側の可搬型除湿機１（搬送具３）における部材３０ａの連結部３２が上側の可搬型除湿機１（搬送具３）における載置部２０の背面側の内側面に接した状態となり、かつ下側の可搬型除湿機１（搬送具３）における部材３０ｂの連結部３２が上側の可搬型除湿機１（搬送具３）における載置部２０の正面側の内側面に接した状態となる（下側の搬送具３における支持部材２３が上側の搬送具３における載置部２０に嵌まり込んだ状態となる）。したがって、下方の可搬型除湿機１（搬送具３）に対して上方の可搬型除湿機１（搬送具３）を設置面Ｆ０に沿って移動させようとする外力が加わったとしても、下方の可搬型除湿機１（搬送具３）に対する上方の可搬型除湿機１（搬送具３）の移動が規制される。これにより、上方の可搬型除湿機１（搬送具３）が下方の可搬型除湿機１（搬送具３）から転落する事態が回避される。
【００４８】
一方、たとえば、可搬型除湿機１を長期間に亘って使用しないときには、設置場所から保管場所に可搬型除湿機１を搬送して保管する。この際には、上記の保管場所から設置場所への搬送時と同様にして、可搬型除湿機１を傾けた状態で車輪２１を回転させて搬送する。また、保管場所への搬送が完了したときには、上記の設置場所への設置時と同様にして、可搬型除湿機１を正立させて車輪２１および脚部２２を接地させる。
【００４９】
この場合、複数台の可搬型除湿機１を積み重ねることが可能に構成されている本例の可搬型除湿機１では、保管場所において保管すべき可搬型除湿機１が複数台存在するときにも、設置場所において各可搬型除湿機１を積み重ねた状態で保管することが可能となっている。また、保管すべき可搬型除湿機１が１台だけの場合においても、保管場所に設置した可搬型除湿機１の上に、他の保管物（例えば、箱状の物品）を載置して保管することが可能となっている。
【００５０】
このように、この搬送具３では、除湿機本体２を載置可能に構成された載置部２０に取り付けられた支持部材２３が、設置面Ｆ０に対して平行で載置部２０の上方に位置する仮想平面Ｆｘにおいて高さ方向で載置部２０と重なる領域Ａ２０内に、同一直線上には位置しない少なくとも３点の支持点が位置するように構成されている。また、この可搬型除湿機１では、上記の搬送具３と、載置部２０に載置された除湿機本体２とを備えている。
【００５１】
したがって、この搬送具３および可搬型除湿機１によれば、例えば、２台の可搬型除湿機１，１を設置場所において動作させるときや、２台の可搬型除湿機１，１を保管場所において保管するときに、一方の可搬型除湿機１（搬送具３）における支持部材２３の各支持点（本例では、各連結部３２）の上に、他方の可搬型除湿機１（搬送具３）における載置部２０を載置するようにして両可搬型除湿機１，１（搬送具３，３）を積み重ねた状態とすることができるため、上方の可搬型除湿機１の重量によって下方の可搬型除湿機１における除湿機本体２が破損する事態を招くことなく、設置場所や保管場所において２台の可搬型除湿機１，１によって占有されるスペースを十分に省スペース化することができる。また、例えば保管場所において保管すべき可搬型除湿機１が１台だけの場合においても、その可搬型除湿機１における支持部材２３の各支持点（本例では、各連結部３２）の上に、他の物品を載置して各支持点によって物品を支持することができるため、物品の下方に位置する可搬型除湿機１の除湿機本体２が物品の重量によって破損する事態を招くことなく、保管場所の貴重なスペースを有効活用することができる。
【００５２】
また、この搬送具３および可搬型除湿機１によれば、載置部２０における除湿機本体２の載置面Ｆ１が設置面Ｆ０に対して平行となるように車輪２１と共に載置部２０を支持する脚部２２を載置部２０の他端部に配設したことにより、載置部２０における載置面Ｆ１に載置した除湿機本体２と設置面Ｆ０との間にスペースを生じさせることができるため、設置面Ｆ０が水分や油分などで汚れていたとしても、その汚れが除湿機本体２に付着する事態を招くことなく可搬型除湿機１を設置することができる。
【００５３】
さらに、この搬送具３および可搬型除湿機１によれば、載置部２０を底面開口の浅皿状に形成したことにより、例えば、「載置部」を平板状に形成した構成と比較して、載置部２０の強度を十分に高めることができ、これにより、載置面Ｆ１の上に除湿機本体２を安定状態で載置することができると共に、複数台の可搬型除湿機１を積み重ねたときに、下方の可搬型除湿機１（搬送具３）における支持部材２３の各支持点が上方の可搬型除湿機１（搬送具３）における載置部２０の内側面に当接した状態となって、下方の可搬型除湿機１（搬送具３）に対する上方の可搬型除湿機１（搬送具３）の移動が規制されるため、上方の可搬型除湿機１（搬送具３）が転落するのを好適に回避することができる。
【００５４】
また、この搬送具３および可搬型除湿機１によれば、載置部２０に立設した一対の柱状部３１，３１における上端部を載置部２０における一端部の上方において連結部３２によって相互に連結した部材３０ａ、および載置部２０に立設した一対の柱状部３１，３１における上端部を載置部２０における他端部の上方において連結部３２によって相互に連結した部材３０ｂを備えて支持部材２３を構成したことにより、可搬型除湿機１を搬送するための「取っ手」を「支持部材」とは別個に設けることなく、支持部材２３の連結部３２を「取っ手」として兼用することができるため、可搬型除湿機１（搬送具３）をコンパクトに構成することができると共に、その製造コストを十分に低減することができる。
【００５５】
さらに、この搬送具３および可搬型除湿機１によれば、載置部２０に載置された除湿機本体２を周方向で囲むように支持部材２３に取り付けられて除湿機本体２を保持する保持部材２４を備えたことにより、載置部２０（載置面Ｆ１）からの除湿機本体２の転落を好適に回避することができ、また、載置部２０（載置面Ｆ１）上に載置した除湿機本体２に物や人が当接した際にも、保持部材２４によって除湿機本体２を好適に保護することができる。
【００５６】
また、この搬送具３および可搬型除湿機１によれば、保持部材２４において除湿機本体２の前面側通気孔１１と対向する位置に開口部２４ａを設けたことにより、保持部材２４の存在によって前面側通気孔１１からの通気を阻害することなく、除湿機本体２の転落や破損を好適に回避することができる。
【００５７】
なお、「空調機用搬送具」および「可搬型空調機」の構成は、上記の搬送具３および可搬型除湿機１の構成に限定されない。例えば、一対の柱状部３１，３１の上端部を連結部３２によって相互に連結した部材３０ａ，３０ｂを備えて支持部材２３を構成した搬送具３（可搬型除湿機１）を例に挙げて説明したが、図７に示す搬送具３ａ（可搬型除湿機１Ａ）のように、上記の搬送具３における部材３０ａ，３０ｂに代えて、柱状部３１の上方に取っ手４２をそれぞれ形成した部材４０ａ〜４０ｄを備えて「支持部材」の他の一例である支持部材２３ａを構成することもできる（「第１連結部」や「第２連結部」が存在しない構成の一例）。
【００５８】
この場合、この搬送具３ａでは、上記の各取っ手４２の上端部が「少なくとも３点の支持点」に相当する。つまり、この搬送具３ａでは、各取っ手４２の位置に、４箇所の線的な支持点が形成されている。したがって、この搬送具３ａ（可搬型除湿機１Ａ）においても、搬送具３ａ（可搬型除湿機１Ａ）の上に、搬送具３ａ（可搬型除湿機１Ａ）と同様に構成された搬送具３ａ（可搬型除湿機１Ａ）や、前述した搬送具３（可搬型除湿機１）などを積み重ねることが可能となっている。なお、同図に示す搬送具３ａ（可搬型除湿機１Ａ）や、後述する搬送具３ｂ（可搬型除湿機１Ｂ）（図８参照）において上記の搬送具３（可搬型除湿機１）と同様の機能を有する構成要素については、同一の符号を付して重複する説明を省略する。
【００５９】
また、図８に示す搬送具３ｂ（可搬型除湿機１Ｂ）では、載置部２０の前後方向で隣接している柱状部３１，３１の上端部同士を相互に連結する連結部５２を有する部材５０ａ，５０ｂを備えて「支持部材」のさらに他の一例である支持部材２３ｂを構成することもできる（「載置部の一端部および他端部」以外の部位で「柱状部」を「連結部」によって相互に連結した構成の一例）。この場合、この搬送具３ｂでは、上記の両連結部５２の上端部が「少なくとも３点の支持点」に相当する。つまり、この搬送具３ｂでは、両連結部５２の位置に、２箇所の線的な支持点が形成されている。したがって、この搬送具３ｂ（可搬型除湿機１Ｂ）においても、搬送具３ｂ（可搬型除湿機１Ｂ）の上に、搬送具３ｂ（可搬型除湿機１Ｂ）と同様に構成された搬送具３ｂ（可搬型除湿機１Ｂ）や、前述した搬送具３，３ａ（可搬型除湿機１，１Ａ）などを積み重ねることが可能となっている。
【００６０】
さらに、「少なくとも３点の支持点」が「線的な支持点」で構成された例について説明したが、「少なくとも３点の支持点」は、「面的な支持点」や、別個独立した３箇所以上の「点的な支持点」などで構成することができる。具体的には、一例として、上記の搬送具３（可搬型除湿機１）における部材３０ａ，３０ｂの両連結部３２の上端部に平板を取り付けることにより、設置面Ｆ０や載置面Ｆ１と平行な「面的な支持点」を形成することができる（図示せず）。また、一例として、搬送具３における支持部材２３に代えて、載置部２０の四隅に別個独立した同じ長さの柱状体を立設することにより、上記の仮想平面Ｆｘにおける領域Ａ２０内に別個独立した４箇所の「点的な支持点」を形成することができる（図示せず）。
【００６１】
また、「支持部材」とは別個に「取っ手」を配設することもできる（図示せず）。さらに、載置部２０の正面側に脚部２２を配設した搬送具３，３ａ，３ｂを例に挙げて説明したが、このような構成に代えて、例えば、「載置部」の底部（底面が開口する浅皿状に「載置部」を形成した場合には、その下端部）が「設置面」に接するように「車輪」の車軸を「載置部」における「載置面」よりも上方に位置させることにより、「脚部」を不要とすることもできる（図示せず）。
【００６２】
また、保持部材２４に開口部２４ａを設けた構成を例に挙げて説明したが、「開口部」が存在しない「保持部材」によって「空調機本体」を保持する構成を採用することもできる（図示せず）さらに、「保持部材」が存在しない構成を採用することもできる（図示せず）。この場合、「空調機本体」を「載置部」および「支持部材」の少なくとも一方に例えばボルト留めして固定することにより、「載置部」からの「空調機本体」の転落を回避しつつ「保持部材」を不要とすることができる。
【００６３】
加えて、「空調機本体」の一例である除湿機本体２を備えた可搬型除湿機１の例について説明したが、「除湿機」に代えて、「加湿器」、「冷却器」、「加熱器」および「送風機」などの各種の「空調機」において、上記の可搬型除湿機１，１Ａ，１Ｂにおける搬送具３，３ａ，３ｂなどと同様の構成を採用することができる。
【符号の説明】
【００６４】
１，１Ａ，１Ｂ  可搬型除湿機
２  除湿機本体
３，３ａ，３ｂ  搬送具
１０  ケーシング
１１  前面側通気孔
１２  上面側通気孔
１３  操作パネル
１４  蓋体
２０  載置部
２１  車輪
２２  脚部
２３，２３ａ，２３ｂ  支持部材
２４  保持部材
２４ａ  開口部
３０ａ，３０ｂ，４０ａ〜４０ｄ，５０ａ，５０ｂ  部材
３１  柱状部
３２，５２  連結部
４２  取っ手
Ａ２０  領域
Ｆ０  設置面
Ｆ１  載置面
Ｆｘ  仮想平面
【図１】
2016109306.tif 000003
【図２】
2016109306.tif 000004
【図３】
2016109306.tif 000005
【図４】
2016109306.tif 000006
【図５】
2016109306.tif 000007
【図６】
2016109306.tif 000008
【図７】
2016109306.tif 000009
【図８】
2016109306.tif 000010